(57)【要約】【課題】  ２種類の異なる周波数帯の無線信号（電波）を送受信すること。【解決手段】  アンテナ装置１０は、基板１２と、基板の上面１２ｕ上に形成され、第１の周波数帯の電波を送受信する第１のアンテナパターン２０と、基板の第２の面１２ｄ上に形成され、第２の周波数帯の電波を送受信する第２のアンテナパターン３０とを備える。第１のアンテナパターン２０と第２のアンテナパターン３０とは、電気的に接続されずに、基板１２を介して互いに対向して配置されている。第１のアンテナパターン２０は、基板１２の中心線Ｘに対して両側にＬ字状に延在し、全体として略コ字形をしている。第２のアンテナパターン３０は、基板１２の中心線Ｘに関して両側に対称に形成された一対の導体パターン３１、３２から構成されている。【選択図】      図１
2008278411.tif 000002
【特許請求の範囲】
【請求項１】
互いに対向する第１及び第２の面を持つ基板と、
前記基板の第１の面上に形成され、第１の周波数帯の電波を送受信する第１のアンテナパターンと、
前記基板の第２の面上に形成され、前記第１の周波数帯と異なる第２の周波数帯の電波を送受信する第２のアンテナパターンと、を備え、
前記第１のアンテナパターンと前記第２のアンテナパターンとは、電気的に接続されずに、前記基板を介して互いに対向して配置されていることを特徴とするアンテナ装置。
【請求項２】
前記第１の周波数帯が、２．４ＧＨｚ帯の周波数であり、
前記第２の周波数帯が、５ＧＨｚ帯の周波数である、
請求項１に記載のアンテナ装置。
【請求項３】
前記第１のアンテナパターンは、前記基板の中心線に対して両側にＬ字状に延在し、全体として略コ字形をしており、
前記第２のアンテナパターンは、前記基板の中心線に関して両側に対称に形成された一対の導体パターンから成る、
ことを特徴とする請求項１又は２に記載のアンテナ装置。
【請求項４】
前記第１のアンテナパターンは、
前記基板の中心線に対して互いに反対側の第１及び第２の側にそれぞれ形成された第１及び第２のＬ字形配線パターンであって、前記第１のＬ字形配線パターンの先端と前記第２のＬ字形配線パターンの先端とは、前記基板の中心線を介して互いに離間して対向しており、前記基板の中心線に関して実質的に対称に形成された、前記第１及び第２のＬ字形配線パターンと、
前記第２のＬ字形配線パターンの先端と電気的に接続された一端を持ち、前記第２のＬ字形配線パターンの内側で間隔を空けて前記第２のＬ字形配線パターンに沿って形成されたＬ字形接地パターンと、
前記第１のＬ字形配線パターンの先端と電気的に接続された一端を持ち、前記Ｌ字形接地パターンの内側で間隔を空けて前記Ｌ字形接地パターンに沿って形成されたＬ字形信号パターンと、
から構成される、請求項３に記載のアンテナ装置。
【請求項５】
前記第１のアンテナパターンに、先端部が接続された同軸ケーブルを更に有する、請求項４に記載のアンテナ装置。
【請求項６】
前記同軸ケーブルは、中心導体と外部導体とを持ち、前記同軸ケーブルの先端部で、前記中心導体が前記Ｌ字形信号パターンの他端に接続され、前記外部導体が前記Ｌ字形接地パターンの他端に接続されている、請求項５に記載のアンテナ装置。
【請求項７】
前記一対の導体パターンは、
前記第１のＬ字形配線パターンと前記基板を介して対向して配置された第１の導体パターンと、
前記第２のＬ字形配線パターンと前記基板を介して対向して配置された第２の導体パターンと、
から成る、請求項４乃至６のいずれか１つに記載のアンテナ装置。
【請求項８】
前記第１のＬ字形配線パターンは、
前記基板の中心線から離れるように、該中心線と直交する方向へ延在する第１の直交配線部と、
該第１の直交配線部の先端から前記中心線と平行に延在する第１の平行配線部とから成り、
前記第２のＬ字形配線パターンは、
前記基板の中心線から離れるように、該中心線と直交する方向へ延在する第２の直交配線部と、
該第２の直交配線部の先端から前記中心線と平行に延在する第２の平行配線部とから成り、
前記第１の導体パターンは、少なくとも、
前記第１のＬ字形配線パターンの曲げ部に対応する位置に配置され、前記第１の導体パターンの線幅よりも幅の広い矩形形状の第１の拡幅部と、
該第１の拡幅部から前記第１の平行配線部と対向して前記基板の中心線と平行に延在する第１の主配線パターンとを備え、
前記第２の導体パターンは、少なくとも、
前記第２のＬ字形配線パターンの曲げ部に対応する位置に配置され、前記第２の導体パターンの線幅よりも幅の広い矩形形状の第２の拡幅部と、
該第２の拡幅部から前記第２の平行配線部と対向して前記基板の中心線と平行に延在する第２の主配線パターンとを備え、
ることを特徴とする請求項７に記載のアンテナ装置。
【請求項９】
前記第１の主配線パターンの先端部が、前記基板の中心線に近づく方向へ直角に折り曲げられており、
前記第２の主配線パターンの先端部が、前記基板の中心線に近づく方向へ直角に折り曲げられている、
請求項８に記載のアンテナ装置。
【請求項１０】
前記第１の導体パターンは、前記第１の拡幅部より延在し、前記第１の主配線パターンの配線長よりも短い長さを持つ第１の副配線パターンを更に備え、
前記第２の導体パターンは、前記第２の拡幅部より延在し、前記第２の主配線パターンの配線長よりも短い長さを持つ第２の副配線パターンを更に備え、
ることを特徴とする請求項８又は９に記載のアンテナ装置。
【請求項１１】
前記第１の副配線パターンは、前記第１の主配線パターンから所定間隔離間し、かつ前記第１の主配線パターンと平行に延在しており、
前記第２の副配線パターンは、前記第２の主配線パターンから所定間隔離間し、かつ前記第２の主配線パターンと平行に延在している、
請求項１０に記載のアンテナ装置。
【請求項１２】
前記第１の副配線パターンは、前記第１の拡幅部から前記基板の中心線へ近づくように、前記第１の直交配線部と対向して配置されており、
前記第２の副配線パターンは、前記第２の拡幅部から前記基板の中心線へ近づくように、前記第２の直交配線部と対向して配置されている、
請求項１０に記載のアンテナ装置。
【発明の詳細な説明】
【技術分野】
【０００１】
本発明は、アンテナ装置に関し、特に、無線ＬＡＮ（Local Area Network）の周波数帯で使用されるアンテナ装置に関する。
【背景技術】
【０００２】
この技術分野において周知のように、無線ＬＡＮとは、電波や赤外線など、有線ケーブル以外の伝送路を利用したＬＡＮをいう。
【０００３】
無線ＬＡＮの標準化については、米ＩＥＥＥ（米国電気電子技術者協会）の８０２．１１委員会で策定されている。すなわち、このＩＥＥＥ８０２．１１委員会では、無線ＬＡＮの標準の規格、仕様を策定している。
【０００４】
例えば、ＩＥＥＥ  ８０２．１１ａは、ＩＥＥＥ  ８０２．１１委員会が策定した５ＧＨｚ帯高速無線ＬＡＮ・無線アクセスの規格である。通信速度（転送速度）は２０Ｍ〜５０Ｍビット／秒程度である。ＭＡＣ（媒体アクセス制御）としてはＣＳＭＡ／ＣＤ（carrier sense multiple access with collision detection）が採用されている。物理層の変調方式はＯＦＤＭ（直交周波数分割多重）である。
【０００５】
一方、ＩＥＥＥ  ８０２．１１ｂは、ＩＥＥＥ  ８０２．１１委員会が１９９９年９月に標準化した無線ＬＡＮの仕様である。ＩＥＥＥ  ８０２．１１ｂでは、２．４ＧＨｚ帯の周波数を使い、変調方式には直接拡散（ＤＳ）を使う。伝送速度（転送速度）は１１Ｍビット／秒と５．５Ｍビット／秒とがある。
【０００６】
更に、ＩＥＥＥ  ８０２．１１ｇは、ＩＥＥＥ  ８０２．１１委員会が２００３年６月に策定した、無線ＬＡＮの標準規格の一つで、２．４ＧＨｚ帯で約５４Ｍビット／秒の通信を行う仕様である。変調方式にはＯＦＤＭが採用されている。したがって、ＩＥＥＥ  ８０２．１１ｇは、ＩＥＥＥ  ８０２．１１ｂと同じ２．４ＧＨｚ帯の周波数を利用し、ＩＥＥＥ  ８０２．１１ｂの約５倍にあたる５４Ｍビット／秒の転送速度をサポートする。同じく５４Ｍビット／秒の転送速度をサポートするＩＥＥＥ  ８０２．１１ａと異なり、ＩＥＥＥ  ８０２．１１ｇはＩＥＥＥ  ８０２．１１ｂとの互換性もある。なお、５４Ｍビット／秒という最高転送速度はＩＥＥＥ  ８０２．１１ａとまったく同じになっているが、２．４ＧＨｚ帯は無線ＬＡＮ以外の機器でも多数使用されている「混雑した」周波数帯となっているため、ＩＥＥＥ  ８０２．１１ｇでは実際の転送速度はＩＥＥＥ  ８０２．１１ａよりも遅くなるといわれている。
【０００７】
前述したように、ＩＥＥＥ  ８０２．１１ｂとＩＥＥＥ  ８０２．１１ｇとでは使用周波数帯が同じ（２．４ＧＨｚ帯）なので、ここでは、両方を合わせて、ＩＥＥＥ  ８０２．１１ｂ／ｇと総称することにする。
【０００８】
このような無線ＬＡＮの周波数帯で使用されるアンテナ装置は、従来から種々知られている。例えば、特許文献１は、２．４５６ＧＨｚの共振周波数を持つアンテナ装置を開示している。特許文献１は、その図８において、基板の主面（表面、第１の面）上にアンテナパターン（導体パターン）を形成したアンテナ装置を開示している。詳述すると、特許文献１に開示されたアンテナ装置は、基板の主面上に形成されたアンテナパターン（導体パターン）として、第１のＬ字形配線パターンと、第２のＬ字形配線パターンと、Ｌ字形接地パターンと、Ｌ字形信号パターンとを有し、全体としてコ字形をしている。第１のＬ字形配線パターンの先端と第２のＬ字形配線パターンの先端とは互いに離間して対向している。第２のＬ字形配線パターンは、第１のＬ字形配線パターンと実質的に対称に形成されている。Ｌ字形接地パターンの一端は、第１のＬ字形配線パターンの先端と電気的に接続されている。Ｌ字形接地パターンは、第２のＬ字形配線パターンの内側で間隔を空けて第２のＬ字形配線パターンに沿って形成されている。Ｌ字形信号パターンの一端は、第１のＬ字形配線パターンの先端と電気的に接続されている。Ｌ字形信号パターンは、Ｌ字形接地パターンの内側で間隔を空けてＬ字形接地パターンに沿って形成されている。尚、アンテナ装置は、中心導体と外部導体とを持つ同軸ケーブルを更に備えている。同軸ケーブルの先端部で、中心導体はＬ字形信号パターンの他端に接続され、外部導体はＬ字形接地パターンの他端に接続されている。
【０００９】
とにかく、特許文献１は、第１の面を持つ基板と、この第１の面上に形成されて第１の周波数帯の無線信号（電波）を送受信するアンテナパターン（第１の送受信パターン）とを備えたアンテナ装置を開示している。
【００１０】
一方、特許文献２は、金属筐体または金属部が近傍にあっても、アンテナの入力インピーダンスが良好で、アンテナとして効率的な動作を可能とする、平板状のアンテナを開示している。特許文献２では、２．４ＧＨｚの周波数帯域で良好なインピーダンス整合が行われる、平板状のアンテナを開示している。詳述すると、特許文献２に開示された平板状のアンテナは、誘電体からなるプリント基板と、ダイポールアンテナの一方の放射素子となる第１のアンテナ放射素子と、ダイポールアンテナの他方の放射素子となる第２のアンテナ放射素子と、導体パターンにより形成される無給電素子と、電波の給電線祖となるマイクロストリップ線路と、給電線路の接地側を形成するグランド導体とを備える。第１のアンテナ放射素子、無給電素子及びマイクロストリップ線路は、プリント基板の一方の面（表面、第１の面）に導体パターンにより形成されている。第２のアンテナ放射素子及びグランド導体は、プリント基板の他方の面（裏面、第２の面）に導体パターンにより形成されている。マイクロストリップ線路の端部より高周波信号尾を給電することによりダイポールアンテナを構成している。第１のアンテナ素子とマイクロストリップ線路は、ほぼ中央部で接続されている。尚、無給電素子は省略されても良い。
【００１１】
とにかく、特許文献２は、互いに対向する第１及び第２の面（表面と裏面）を持つ基板と、第１及び第２の面上に形成されて第１の周波数帯の無線信号（電波）を送受信する導体パターン（第１の送受信パターン）とを備えた、平板状のアンテナ（アンテナ装置）を開示している。
【００１２】
また、特許文献３は、両面又は片面プリント基板にアンテナ及びバランのパターンを形成した、プリント基板を開示している。特許文献３では、ダイポールアンテナのパターンとバランの同軸管固定用パターンとがプリント基板の第１の面（表面）上に形成され、分岐導体用パターンがプリント基板の第２の面（裏面）又は第１の面上に形成されている。同軸管の中心線は、ダイポールアンテナの給電点にハンダ付けされ、同軸管の外部導体は、ダイポールアンテナの給電点及び分岐導体用パターンにハンダ付けされている。特許文献３に開示されたアンテナ及びバランは、携帯形無線機の筐体内に組み込まれるものであって、周波数帯を４２１ＭＨｚから４４０ＭＨｚとして用いるものである。
【００１３】
とにかく、特許文献３は、互いに対向する第１及び第２の面（表面と裏面）を持つ基板と、第１及び第２の面（又は第１の面）上に形成されて第１の周波数帯の無線信号（電波）を送受信する導体パターン（第１の送受信パターン）とを備えた、プリント基板（アンテナ装置）を開示している。
【００１４】
上述した特許文献１乃至３に開示されたアンテナ装置は、いずれも、基板上にアンテナパターンが形成されているので、基板アンテナとも呼ばれる。
【００１５】
【特許文献１】特開２００６−５０５１７号公報（図８）
【特許文献２】特開２００５−７９８６７号公報
【特許文献３】特開平６−１８８６１０号公報
【発明の開示】
【発明が解決しようとする課題】
【００１６】
上述したように、特許文献１乃至３に開示されたアンテナ装置（基板アンテナ）はいずれも、基板と、基板の片面（或いは両面）上に形成されたアンテナパターン（第１の送受信パターン）とを備えたアンテナ装置（基板アンテナ）を開示するのみで、一種類の（第１の）周波数帯の無線信号（電波）を送受信することしかできない。
【００１７】
したがって、本発明の課題は、２種類の異なる周波数帯の無線信号（電波）を送受信することが可能な、アンテナ装置を提供することにある。
【００１８】
本発明の他の課題は、無線ＬＡＮで使用される、異なる２種類の周波数帯の無線信号（電波）を送受信することが可能な、アンテナ装置を提供することにある。
【課題を解決するための手段】
【００１９】
本発明によれば、互いに対向する第１及び第２の面（１２ｕ、１２ｄ）を持つ基板（１２）と、前記基板の第１の面上に形成され、第１の周波数帯の電波を送受信する第１のアンテナパターン（２０）と、前記基板の第２の面上に形成され、前記第１の周波数帯と異なる第２の周波数帯の電波を送受信する第２のアンテナパターン（３０）と、を備え、前記第１のアンテナパターン（２０）と前記第２のアンテナパターン（３０）とは、電気的に接続されずに、前記基板（１２）を介して互いに対向して配置されていることを特徴とするアンテナ装置（１０）が得られる。
【００２０】
上記アンテナ装置において、前記第１の周波数帯は、例えば、２．４ＧＨｚ帯の周波数であってよく、前記第２の周波数帯は、例えば、５ＧＨｚ帯の周波数であってよい。前記第１のアンテナパターン（２０）は、前記基板（１２）の中心線（Ｘ）に対して両側にＬ字状に延在し、全体として略コ字形をしたものであってよく、前記第２のアンテナパターン（３０）は、前記基板（１２）の中心線（Ｘ）に関して両側に対称に形成された一対の導体パターン（３１、３２）から構成されてよい。
【００２１】
前記第１のアンテナパターン（２０）は、前記基板の中心線に対して互いに反対側の第１及び第２の側にそれぞれ形成された第１及び第２のＬ字形配線パターン（２１，２２）であって、前記第１のＬ字形配線パターンの先端（２１ａ）と前記第２のＬ字形配線パターンの先端（２２ａ）とは、前記基板の中心線を介して互いに離間して対向しており、前記基板の中心線に関して実質的に対称に形成された、前記第１及び第２のＬ字形配線パターンと、前記第２のＬ字形配線パターンの先端と電気的に接続された一端（２４ａ）を持ち、前記第２のＬ字形配線パターンの内側で間隔を空けて前記第２のＬ字形配線パターンに沿って形成されたＬ字形接地パターン（２４）と、前記第１のＬ字形配線パターンの先端と電気的に接続された一端（２６ａ）を持ち、前記Ｌ字形接地パターンの内側で間隔を空けて前記Ｌ字形接地パターンに沿って形成されたＬ字形信号パターン（２６）と、から構成されることが好ましい。上記アンテナ装置は、前記第１のアンテナパターンに、先端部（４０ａ）が接続された同軸ケーブル（４０）を更に有してよい。この場合、前記同軸ケーブルは、中心導体（４２）と外部導体（４１）とを持ち、前記同軸ケーブルの先端部で、前記中心導体が前記Ｌ字形信号パターンの他端（２６ｂ）に接続され、前記外部導体が前記Ｌ字形接地パターンの他端（２４ｂ）に接続される。
【００２２】
一方、前記第２のアンテナパターン（３０）の前記一対の導体パターンは、前記第１のＬ字形配線パターンと前記基板を介して対向して配置された第１の導体パターン（３１；３１Ａ；３１Ｂ；３１Ｃ）と、前記第２のＬ字形配線パターンと前記基板を介して対向して配置された第２の導体パターン（３２）とから構成されることが好ましい。
【００２３】
前記第１のＬ字形配線パターン（２１）は、前記基板の中心線から離れるように、該中心線と直交する方向へ延在する第１の直交配線部（２１１）と、該第１の直交配線部の先端から前記中心線と平行に延在する第１の平行配線部（２１２）とから構成されてよく、前記第２のＬ字形配線パターン（２２）は、前記基板の中心線から離れるように、該中心線と直交する方向へ延在する第２の直交配線部（２２１）と、該第２の直交配線部の先端から前記中心線と平行に延在する第２の平行配線部（２２２）とから構成されてよい。この場合、前記第１の導体パターン（３１；３１Ａ；３１Ｂ；３１Ｃ）は、少なくとも、前記第１のＬ字形配線パターンの曲げ部に対応する位置に配置され、前記第１の導体パターンの線幅よりも幅（Ｗ１）の広い矩形形状の第１の拡幅部（３１１）と、該第１の拡幅部から前記第１の平行配線部と対向して前記基板の中心線と平行に延在する第１の主配線パターン（３１２；３１２Ａ）とを備えることが好ましく、前記第２の導体パターン（３２）は、少なくとも、前記第２のＬ字形配線パターンの曲げ部に対応する位置に配置され、前記第２の導体パターンの線幅よりも幅（Ｗ１）の広い矩形形状の第２の拡幅部（３２１）と、該第２の拡幅部から前記第２の平行配線部と対向して前記基板の中心線と平行に延在する第２の主配線パターン（３２２）とを備えることが好ましい。前記第１の主配線パターン（３１２）の先端部（３１２ａ）が、前記基板の中心線に近づく方向へ直角に折り曲げられてよく、前記第２の主配線パターン（３２２）の先端部（３２２ａ）が、前記基板の中心線に近づく方向へ直角に折り曲げられていてよい。
【００２４】
さらに、前記第１の導体パターン（３１；３１Ａ；３１Ｂ；３１Ｃ）は、前記第１の拡幅部より延在し、前記第１の主配線パターンの配線長（Ｌ１）よりも短い長さ（Ｌ２）を持つ第１の副配線パターン（３１３；３１３Ａ；３１３Ｂ）を更に備え、前記第２の導体パターン（３２）は、前記第２の拡幅部より延在し、前記第２の主配線パターンの配線長（Ｌ１）よりも短い長さ（Ｌ２）を持つ第２の副配線パターン（３２３）を更に備えることが好ましい。前記第１の副配線パターン（３１３）は、前記第１の主配線パターンから所定間隔（Ｄ１）離間し、かつ前記第１の主配線パターンと平行に延在してよく、前記第２の副配線パターン（３１３）は、前記第２の主配線パターンから所定間隔（Ｄ１）離間し、かつ前記第２の主配線パターンと平行に延在してよい。その代わりに、前記第１の副配線パターン（３１３Ａ）は、前記第１の拡幅部から前記基板の中心線へ近づくように、前記第１の直交配線部と対向して配置されてよく、前記第２の副配線パターンは、前記第２の拡幅部から前記基板の中心線へ近づくように、前記第２の直交配線部と対向して配置されてよい。
【００２５】
尚、上記括弧内の符号は、本発明の理解を容易にするために付したものであり、一例にすぎず、これらに限定されないのは勿論である。
【発明の効果】
【００２６】
本発明に係るアンテナ装置では、基板の第１の面上に第１の周波数帯の電波を送受信する第１のアンテナパターンを形成し、基板の第２の面上に第２の周波数帯の電波を送受信する第２のアンテナパターンを形成し、第１のアンテナパターンと第２のアンテナパターンとを、電気的に接続することなく、基板を介して互いに対向して配置したので、２種類の異なる周波数帯の無線信号（電波）を送受信することが可能である。
【発明を実施するための最良の形態】
【００２７】
以下、図面を参照して、本発明の実施の形態について詳細に説明する。
【００２８】
図１及び図２を参照して、本発明の一実施の形態に係るアンテナ装置（基板アンテナ）１０について説明する。図１において、（Ａ）はアンテナ装置（基板アンテナ）１０を表面（上面）側から見た斜視図であり、（Ｂ）はアンテナ装置（基板アンテナ）１０を裏面（底面）側から見た斜視図である。図２はアンテナ装置（基板アンテナ）１０の底面図である。
【００２９】
アンテナ装置（基板アンテナ）１０は、互いに対向する第１の面（表面、上面）１２ｕと第２の面（裏面、底面）１２ｄとを持つ基板１２を有する。基板１２は、長さ（縦）Ｂ、幅（横）Ｗ、厚さ（高さ）Ｔを持つ略直方体（矩形板）の形状をしている。図示の例では、長さ（縦）Ｂが１８．６ｍｍ、幅（横）Ｗが２５．５ｍｍ、厚さ（高さ）Ｔが０．８ｍｍである。又、図示の例では、基板１２は比誘電率εｒが４．４の誘電体基板から成る。
【００３０】
基板１２は、上面（表面）１２ｕ、底面（裏面）１２ｄ、前面１２ｆ、背面１２ｂ、右側面１２ｒｓ、および左側面１２ｌｓを持つ。図１（Ａ）、（Ｂ）に示されるように、背面１２ｂは円弧状の凹部を有している。とにかく、基板１２は、中心線（前後方向）Ｘに関して実質的に左右対称の形状をしている。
【００３１】
ここでは、図１（Ａ）、（Ｂ）に示されるように、基板１２の中心を原点にとった直交座標系（Ｘ，Ｙ，Ｚ）を採用している。図１（Ａ）、（Ｂ）に図示した状態では、Ｘ軸は前後方向（奥行き方向）であり、Ｙ軸は左右方向（幅方向、横方向）であり、Ｚ軸は上下方向（高さ方向）である。そして、図１（Ａ）、（Ｂ）に示す例においては、前後方向Ｘが基板１２の中心線の方向を示している。
【００３２】
アンテナ装置（基板アンテナ）１０は、基板１２の第１の面（上面、表面）１２ｕ上に形成された第１のアンテナパターン２０と、基板１２の第２の面（底面、裏面）１２ｄ上に形成された第２のアンテナパターン３０とを備えている。第１のアンテナパターン２０は、後述する第１の周波数帯の電波を送受信するためのものである。第２のアンテナパターン３０は、後述する第２の周波数帯の電波を送受信するためのものである。第１の周波数帯と第２の周波数帯とは互いに異なる。図１（Ａ）、（Ｂ）に示されるように、第１のアンテナパターン２０と第２のアンテナパターン３０とは、電気的に接続されずに、基板１２を介して対向して配置されている。換言すれば、第１のアンテナパターン２０と第２のアンテナパターン３０とは、互いに高周波的に作用する。
【００３３】
図示の例では、第１の周波数帯は、ＩＥＥＥ  ８０２．１１ｂ／ｇで使用される２．４ＧＨｚ帯の周波数であり、第２の周波数帯は、ＩＥＥＥ  ８０２．１１ａで使用される５ＧＨｚ帯の周波数である。
【００３４】
図１（Ａ）に示されるように、第１のアンテナパターン２０は、基板１２の中心線Ｘに対して両側（左右）にＬ字状に延在し、全体として略コ字形をしている。一方、図１（Ｂ）に示されるように、第２のアンテナパターン３０は、基板１２の中心線Ｘに関して両側（左右）に対称に形成された一対の導体パターン３１、３２から成る。
【００３５】
次に、図１（Ａ）を参照して、第１のアンテナパターン２０について説明する。図示の第１のアンテナパターン２０は、上記特許文献１の図８に図示されたものと実質的に同一のパターンである。
【００３６】
詳述すると、第１のアンテナパターン２０は、第１及び第２のＬ字形配線パターン２１、２２と、Ｌ字形接地パターン２４と、Ｌ字形信号パターン２６とから構成されている。
【００３７】
第１及び第２のＬ字形配線パターン２１、２２は、基板１２の中心線Ｘに対して互いに反対側の第１の側（右側）及び第２の側（左側）にそれぞれ形成されている。第１のＬ字形配線パターン２１の先端２１ａと第２のＬ字形配線パターン２２の先端２２ａとは、基板１２の中心線Ｘを介して互いに離間して配置されている。第１のＬ字形配線パターン２１と第２のＬ字形配線パターン２２とは、基板１２の中心線Ｘに関して実質的に対称に形成されている。
【００３８】
第１のＬ字形配線パターン２１は、基板１２の中心線Ｘから離れるように、基板１２の前面１２ｆに沿って中心線Ｘと直交する方向（右方向）Ｙへ延在する第１の直交配線部２１１と、この第１の直交配線部２１１の先端から基板１２の右側面１２ｒｓに沿って中心線Ｘと平行に延在する第１の平行配線部２１２とから構成される。
【００３９】
同様に、第２のＬ字形配線パターン２２は、基板１２の中心線Ｘから離れるように、基板１２の前面１２ｆに沿って中心線Ｘと直交する方向（左方向）Ｙへ延在する第２の直交配線部２２１と、この第２の直交配線部２２１の先端から基板１２の左側面１２ｌｓに沿って中心線Ｘと平行に延在する第２の平行配線部２２２とから構成される。
【００４０】
なお、第１及び第２のＬ字形配線パターン２１、２２の線幅は１ｍｍである。
【００４１】
Ｌ字形接地パターン２４の一端２４ａは、第２のＬ字形配線パターン２２の先端２１ａと電気的に接続されている。Ｌ字形接地パターン２４は、第２のＬ字形配線パターン２２の内側で間隔を空けて第２のＬ字形配線パターン２２に添って形成されている。一方、Ｌ字形信号パターン２６の一端２６ａは、第１のＬ字形配線パターン２１の先端２１ａと電気的に接続されている。Ｌ字形信号パターン２６は、Ｌ字形接地パターン２４の内側で間隔を空けてＬ字形接地パターン２４に添って形成されている。
【００４２】
このアンテナ装置（基板アンテナ）１０は、給電線として、図３に示される同軸ケーブル４０を使用している。図３に示されるように、同軸ケーブル４０は、円筒状の外部導体４１と、その中央にある中心導体４２とからなる同軸形状の電気信号伝送媒体である。外部導体４１と中心導体４２との間は円筒状の絶縁体４３で絶縁されている。また、外部導体４１はシース４４で覆われている。
【００４３】
図３に示されるように、同軸ケーブル４０の先端部４０ａは、シース４４、外部導体４１、および絶縁体４３がカットされる。そして、同軸ケーブル４０の先端部４０ａは、次に説明するように、第１のアンテナパターン２０と接続される。
【００４４】
すなわち、同軸ケーブル４０は、その先端部４０ａで、中心導体４２が半田（図示せず）によってＬ字形信号パターン２６の他端２６ｂと電気的に接続され、外部導体４１が半田（図示せず）によってＬ字形接地パターン２４の他端２４ｂと電気的に接続される。
【００４５】
次に、図１（Ｂ）及び図２を参照して、第２のアンテナパターン３０について説明する。第２のアンテナパターン３０の一対の導体パターンは、第１のＬ字形配線パターン２１と基板１２を介して対向して配置された第１の導体パターン３１と、第２のＬ字形配線パターン２２と基板１２を介して対向して配置された第２の導体パターン３２とから構成されている。
【００４６】
詳述すると、第１の導体パターン３１は、長さ（縦）Ｂ１、幅Ｗ１を持つ矩形形状の第１の拡幅部３１１と、第１の主配線パターン３１２と、第１の副配線パターン３１３とから構成されている。第１の拡幅部３１１は、第１のＬ字形配線パターン２１の曲げ部に対応する位置に配置され、第１のＬ字形配線パターン２１の線幅よりも広い幅Ｗ１を持つ。第１の主配線パターン３１２は、第１の拡幅部３１１から第１の平行配線部２１２と対向して、基板１２の右側面１２ｒｓに沿って基板１２の中心線Ｘと平行に延在している。第１の主配線パターン３１２の先端部３１２ａは、基板１２の中心線Ｘに近づく方向へ直角に折り曲げられている。第１の副配線パターン３１３は、第１の拡幅部３１１より延在し、第１の主配線パターン３１２の配線長Ｌ１よりも短い長さＬ２を持つ。図示の例では、第１の副配線パターン３１３は、第１の主配線パターン３１２から所定距離Ｄ１だけ離間し、かつ、第１の主配線パターン３１２と平行に延在している。
【００４７】
同様に、第２の導体パターン３２は、長さ（縦）Ｂ１、幅Ｗ１を持つ矩形形状の第２の拡幅部３２１と、第２の主配線パターン３２２と、第２の副配線パターン３２３とから構成されている。第２の拡幅部３２１は、第２のＬ字形配線パターン２２の曲げ部に対応する位置に配置され、第２のＬ字形配線パターン２２の線幅よりも広い幅Ｗ１を持つ。第２の主配線パターン３２２は、第２の拡幅部３２１から第２の平行配線部２２２と対向して、基板１２の左側面１２ｌｓに沿って基板１２の中心線Ｘと平行に延在している。第２の主配線パターン３２２の先端部３２２ａは、基板１２の中心線Ｘに近づく方向へ直角に折り曲げられている。第２の副配線パターン３２３は、第２の拡幅部３２１より延在し、第２の主配線パターン３２２の配線長Ｌ１よりも短い長さＬ２を持つ。図示の例では、第２の副配線パターン３２３は、第２の主配線パターン３２２から所定距離Ｄ１だけ離間し、かつ、第２の主配線パターン３２２と平行に延在している。
【００４８】
図２を参照して、第２のアンテナパターン３０の寸法について説明する。第１及び第２の拡幅部３１１および３２１の長さ（縦）Ｂ１は７ｍｍであり、幅Ｗ１は５ｍｍである。第１及び第２の主配線パターン３１２および３２２の線幅Ｗｌは１ｍｍであり、配線長Ｌ１は９ｍｍである。所定距離Ｄ１は１ｍｍである。第１及び第２の副配線パターン３１３および３２３の線幅Ｗｌは１ｍｍであり、配線長Ｌ２は３．２ｍｍである。
【００４９】
この技術分野において周知のように、一般的に、アンテナ装置として必要なアンテナ特性としては、電圧定在波比（ＶＳＷＲ）は出来るだけ１に近いことが好ましい。望ましくは、ＶＳＷＲは２以下であれば良い。
【００５０】
図４は図１に示すアンテナ装置１０から第２のアンテナパターン３０を削除したアンテナ装置のＶＳＷＲ特性を示し、図５は図１に図示されたアンテナ装置１０（すなわち、第２のアンテナパターン３０があるときの）ＶＳＷＲ特性を示す。図４及び図５において、横軸は周波数（Freq）［ＧＨｚ］を示し、縦軸はＶＳＷＲを示す。図４及び図５において、低い周波数側の矩形で囲んだ２４１３〜２４７４ＭＨｚの周波数範囲は、ＩＥＥＥ  ８０２．１１ｂ／ｇで使用される２．４ＧＨｚ帯の周波数（第１の周波数帯）を示し、高い周波数側の矩形で囲んだ５１５０〜５７２５ＭＨｚの周波数範囲は、ＩＥＥＥ  ８０２．１１ａで使用される５ＧＨｚ帯の周波数（第２の周波数帯）を示す。
【００５１】
図４から、第２のアンテナパターン３０がないアンテナ装置においては、２．４ＧＨｚ帯（第１の周波数帯）ではＶＳＷＲが２以下になっているが、５ＧＨｚ帯（第２の周波数帯）ではＶＳＷＲが２以上となっていることが分かる。
【００５２】
これに対して、図５から、本実施の形態に係るアンテナ装置１０においては、２．４ＧＨｚ帯（第１の周波数帯）と５ＧＨｚ帯（第２の周波数帯）との両方の周波数帯域において、ＶＳＷＲが２以下になっていることが分かる。
【００５３】
すなわち、本実施の形態に係るアンテナ装置（基板アンテナ）１０では、２．４ＧＨｚ帯にプラスして５ＧＨｚ帯でもマッチング特性を得ることができる。換言すれば、本実施の形態に係るアンテナ装置（基板アンテナ）１０は，ＩＥＥＥ  ８０２．１１ｂ／ｇ用の２．４ＧＨｚ帯の周波数の電波と、ＩＥＥＥ  ８０２．１１ａ用の５ＧＨｚ帯の周波数の電波とを送受信できる、無線ＬＡＮマルチバンド基板アンテナとして動作する。
【００５４】
ここで、第２のアンテナパターン３０の一対の導体パターン３１、３２において、第１及び第２の拡幅部３１１、３２１は、５ＧＨｚ帯（第２の周波数帯）の帯域（バンド幅）をカバー（確保）するためのものであり、第１及び第２の主配線パターン３１２、３２２および第１及び第２の副配線パターン３１３、３２３は、ＶＳＷＲ特性を１に近づけるためのものである。
【００５５】
なお、基板１２の第２の面（底面、裏面）１２ｄに形成される第２のアンテナパターン３０は、図２に図示したものに限定されず、種々の変形が可能である。
【００５６】
図６は、第２のアンテナパターンの第１の導体パターン３１Ａの第１の変形例を示す平面図である。図示はしないが、第２のアンテナパターンの第２の導体パターンは、この第１の導体パターン３１Ａと基板１２の中心線Ｘに関して対称な形状をしていることは勿論である。図示の第１の導体パターン３１Ａは、第１の主配線パターンの構成（構造）が図２に図示したものと相違している点を除いて、図２の第１の導体パターン３１と同様の構成を有する。従って、第１の主配線パターンに３１２Ａの参照符号を付してある。
【００５７】
第１の主配線パターン３１２Ａは、その先端部が曲げられることなく、第１の拡幅部３１１から第１の平行配線部２１２と対向して、基板１２の右側面１２ｒｓに沿って基板１２の中心線Ｘと平行に延在している。第１の主配線パターン３１２Ａの配線長Ｌ１は９ｍｍである。
【００５８】
図７は、第２のアンテナパターンの第１の導体パターン３１Ｂの第２の変形例を示す平面図である。図示はしないが、第２のアンテナパターンの第２の導体パターンは、この第１の導体パターン３１Ｂと基板１２の中心線Ｘに関して対称な形状をしていることは勿論である。図示の第１の導体パターン３１Ｂは、第１の副配線パターンの配置位置が図２に図示したものと相違している点を除いて、図２の第１の導体パターン３１と同様の構成を有する。従って、第１の副配線パターンに３１３Ａの参照符号を付してある。
【００５９】
第１の副配線パターン３１３Ａは、第１の拡幅部３１１から基板１２の中心線Ｘへ近づくように、基板１２の前面１２ｆに沿って第１の直交配線部２１１（図１（Ａ））と対向して配置されている。第１の副配線パターン３１３Ａの配線長Ｌ２は３．２ｍｍである。図示はしないが、第２の導体パターンの第２の副配線パターンは、第２の拡幅部３２１から基板１２の中心線Ｘへ近づくように、基板１２の前面１２ｆに沿って第２の直交配線部２２１（図１（Ａ））と対向して配置される。
【００６０】
図８は、第２のアンテナパターンの第１の導体パターン３１Ｃの第３の変形例を示す平面図である。図示はしないが、第２のアンテナパターンの第２の導体パターンは、この第１の導体パターン３１Ｃと基板１２の中心線Ｘに関して対称な形状をしていることは勿論である。図示の第１の導体パターン３１Ｃは、第１の副配線パターンの構成（構造）が図２に図示したものと相違している点を除いて、図２の第１の導体パターン３１と同様の構成を有する。従って、第１の副配線パターンに３１３Ｂの参照符号を付してある。
【００６１】
第１の副配線パターン３１３Ｂは、第１の副配線部分３１３Ｂ−１と第２の副配線部分３１３Ｂ−２とから構成されている。第１の副配線部分３１３Ｂ−１は、第１の主配線パターン３１２から所定距離Ｄ１だけ離間し、かつ、第１の主配線パターン３１２と平行に延在している。第２の副配線部分３１３Ｂ−２は、第１の副配線部分３１３Ｂ−１から所定距離Ｄ１だけ離間し、かつ、第１の主配線パターン３１２と平行に延在している。
【００６２】
以上、本発明について好ましい実施の形態によって説明してきたが、本発明は上述した実施の形態に限定しないのは勿論である。例えば、第１及び第２のアンテナパターンは、上述した実施の形態のパターンに限定されず、種々の形状のパターンを採用してもよいのは勿論である。とにかく、第１のアンテナパターンは第１の周波数帯の電波を送受信でき、第２のアンテナパターンは第２の周波数帯の電波を送受信できれば良い。また、上述した実施の形態では、第２のアンテナパターンを構成する一対の導体パターンの各々は、拡幅部と主配線パターンと副配線パターンとから構成されているが、副配線パターンを削除しても良い。
【図面の簡単な説明】
【００６３】
【図１】本発明の一実施の形態に係るアンテナ装置（基板アンテナ）を示す図で、（Ａ）はアンテナ装置（基板アンテナ）を表面（上面）側から見た斜視図であり、（Ｂ）はアンテナ装置（基板アンテナ）を裏面（底面）側から見た斜視図である。
【図２】図１に示したアンテナ装置（基板アンテナ）の底面図である。
【図３】図１に示すアンテナ装置の給電線として使用される同軸ケーブルを示す正面図である。
【図４】図１に示すアンテナ装置から第２のアンテナパターンを削除したアンテナ装置のＶＳＷＲ特性を示す図である。
【図５】図１に図示されたアンテナ装置のＶＳＷＲ特性を示す図である。
【図６】図１に示したアンテナ装置（基板アンテナ）に使用される第２のアンテナパターンの第１の導体パターンの第１の変形例を示す平面図である。
【図７】図１に示したアンテナ装置（基板アンテナ）に使用される第２のアンテナパターンの第１の導体パターンの第２の変形例を示す平面図である。
【図８】図１に示したアンテナ装置（基板アンテナ）に使用される第２のアンテナパターンの第１の導体パターンの第３の変形例を示す平面図である。
【符号の説明】
【００６４】
１０    アンテナ装置（基板アンテナ）
１２    基板
１２ｕ    第１の面（上面、表面）
１２ｄ    第２の面（底面、裏面）
２０    第１のアンテナパターン
２１    第１のＬ字形配線パターン
２１１    第１の直交配線部
２１２    第１の平行配線部
２２    第２のＬ字形配線パターン
２２１    第２の直交配線部
２２２    第２の平行配線部
２４    Ｌ字形接地パターン
２６    Ｌ字形信号パターン
３０    第２のアンテナパターン
３１、３１Ａ、３１Ｂ、３１Ｃ    第１の導体パターン
３１１    第１の拡幅部
３１２、３１２Ａ    第１の主配線パターン
３１３、３１３Ａ、３１３Ｂ    第１の副配線パターン
３２    第２の導体パターン
３２１    第２の拡幅部
３２２    第２の主配線パターン
３２３    第２の副配線パターン
４０    同軸ケーブル（給電線）
４０ａ    先端部
４１    外部導体
４２    中心導体
Ｘ    基板の中心線
【図１】
2008278411.tif 000003
【図２】
2008278411.tif 000004
【図３】
2008278411.tif 000005
【図４】
2008278411.tif 000006
【図５】
2008278411.tif 000007
【図６】
2008278411.tif 000008
【図７】
2008278411.tif 000009
【図８】
2008278411.tif 000010